(57)【要約】      【課題】  低コストなＣＳＰ構造の圧電デバイス、特に弾性表面波装置を提供する。      【解決手段】  一方の主面上に少なくとも励振電極と該励振電極から延出するボンディングパッドとを備える圧電振動素子と、上面に前記圧電振動素子実装用のパッド電極と接地用パッドを配設すると共に下面に外部電極を備えた平板状のプリント配線基板と、を備えており、前記ボンディングパッドに固定した金属バンプを介して前記プリント配線基板の上面に所定のギャップを隔てて前記圧電振動子を固定した圧電デバイスであって、前記ギャップの開口寸法より大きい厚みを有する金属層を前記圧電デバイスの上面全面に形成したことを特徴とする。      【選択図】      図１
2005012751.tif 000002
【特許請求の範囲】
【請求項１】
一方の主面上に少なくとも励振電極と該励振電極から延出するボンディングパッドとを備える圧電振動素子と、上面に前記圧電振動素子実装用のパッド電極と接地用パッドを配設すると共に下面に外部電極を備えた平板状のプリント配線基板と、を備えており、前記ボンディングパッドに固定した金属バンプを介して前記プリント配線基板の上面に所定のギャップを隔てて前記圧電振動子を固定した圧電デバイスであって、
前記ギャップの開口寸法より大きい厚みを有する金属層を前記圧電デバイスの上面全面に形成したことを特徴とする圧電デバイス。
【請求項２】
前記ギャップの空間に配設し該ギャップの開口寸法を小さくする共に、少なくとも前記励振電極近傍を囲繞する隔壁を備えていることを特徴とする請求項１に記載の圧電デバイス。
【請求項３】
前記隔壁が少なくとも前記圧電振動素子の一方の主面の周縁に形成されていることを特徴とする請求項２に記載の圧電デバイス。
【請求項４】
前記圧電振動素子の側面夫々と対応する位置の前記隔壁の外端面夫々とが互いに略一致していることを特徴とする請求項２又は３に記載の圧電デバイス。
【請求項５】
前記隔壁が前記圧電振動素子の一方の主面の周縁に対応する前記プリント配線基板の上面に形成されていることを特徴とする請求項２に記載の圧電デバイス。
【請求項６】
接地用の前記ボンディングパッドが前記隔壁及び前記金属層を介して前記接地用パッドと電気的導通し且つ接地用の前記ボンディングパッド上の前記金属バンプを省略したことを特徴とする請求項３又は４に記載の圧電デバイス。
【請求項７】
前記隔壁が感光性材料であることを特徴とする請求項２乃至６のいずれかに記載の圧電デバイス。
【請求項８】
前記隔壁が金属体であることを特徴とする請求項２乃至６のいずれかに記載の圧電デバイス。
【請求項９】
前記金属層が複数の金属薄膜を積層したものであることを特徴とする請求項１乃至８のいずれかに記載の圧電デバイス。
【請求項１０】
前記金属層の上面が樹脂で覆われていることを特徴とする請求項１乃至９のいずれかに記載の圧電デバイス。
【請求項１１】
前記樹脂の上面にマーキングを施していることを特徴とする請求項１０に記載の圧電デバイス。
【発明の詳細な説明】
【技術分野】
【０００１】
本発明は小型、薄型化、低コストなＣＳＰ構造の圧電デバイスの改良、特に圧電振動素子の外部環境の影響を遮断するための封止に関する。
【背景技術】
【０００２】
圧電デバイス、特に弾性表面波装置は通信分野で広く利用され、高性能、小型、量産性等の優れた特徴を有することから特に携帯電話機等の移動体通信機器に多く用いられている。
【０００３】
以下、従来の弾性表面波装置について説明する。
従来の弾性表面波装置には、例えば特表平１１−５１０６６６号公報で開示されたようなものがあり、図７はそのパッケージの構成を示す縦断面図である。
従来の弾性表面波装置は、平板状のベースプレート（セラミック配線基板）１５１と、該ベースプレート１５１の上面にバンプを介して所定のギャップを隔てて固定されたデバイスシステム（弾性表面波チップ）１５２と、該デバイスシステム１５２の下面に備える導電構造（櫛形電極）を囲繞するように配設した絶縁枠１５３と、該絶縁枠１５３と前記ベースプレート１５１との間隙を外側から覆うための囲み枠１５４（樹脂部材）と、を備えている。前記ベースプレート１５１の上面と前記デバイスシステム１５２の下面とが対向するようにフリップチップ実装すると共に、前記絶縁枠１５３と前記ベースプレート１５１との間隙の外側を前記囲み枠１５４により覆っている。さらに、デバイスシステム１５２の上面及び四側面と囲み枠１５４の表面とベースプレート１５１上面の露出する面とを覆うように金属薄膜である保護層１５５を被着する構造となっている。
【特許文献１】特表平１１−５１０６６６号公報
【発明の開示】
【発明が解決しようとする課題】
【０００４】
前記囲み枠１５４によって外部環境から遊離した前記絶縁枠１５３内側、即ち前記導電構造の雰囲気（真空又は不活性ガス）を維持するのに、封止効果に乏しい囲み枠１５４表面に前記保護層１５５を被着することは前記弾性表面波装置の信頼性に対して望ましい。しかしながら、前記囲み枠１５４の形成工程と保護層の形成工程（ドライプロセスで一般に真空蒸着、スパッタリング及びＣＶＤ）と工程間で弾性表面波装置が大気にさらされた場合には導電構造の雰囲気を維持することが困難である。
【０００５】
近年では弾性表面波装置の更なる小型化が要求されており、前記ベースプレート１５１が前記デバイスシステム１５２より若干大きい程度となり、その差が少なくなりつつある。また量産性を鑑み、弾性表面波装置の製造をバッチ処理にて実施することが一般的である。即ち、多数の前記ベースプレート１５１が狭ピッチで区画形成された大面積のベースプレート母材上にそれぞれ前記デバイスシステム１５２をフリップチップ実装し、該デバイスシステム１５２同士の間隙にスクリーン印刷によって（前記囲み枠１５４となる）樹脂部材を一括で塗布し、ベースプレート母材に前記保護層１５５を被着した後、ダイシング装置でデバイスシステム１５２同士の間隙に介在する保護層１５５、樹脂部材及びベースプレート母材を切断（フルカット）することで複数の弾性表面波装置を得る。しかしながら、保護層１５５で囲み枠１５４の側面（個片化した弾性表面波装置の側面となる。）及び該囲み枠１５４と前記ベースプレート母材上との界面を覆うには、図８（ａ）に示すように、ベースプレート母材１６６上に実装したデバイスシステム１６２同士で共有する囲み枠１６４とベースプレート母材１６６の上面の一部を切断（第１の切断）することで溝１６８を形成し、該溝１６８の内面（切断面）を含むベースプレート母材１６６の上面に保護層１６５を被着した上で、前記第1の切断に使用したダイシング刃より薄いダイシング刃１６９により溝部１６８の略中央で保護層１６５及びベースプレート母材１６６の残り半分を一括に切断（第２の切断）することで、図８（ｂ）に示すように、囲み枠１６４の側面及び該囲み枠１６４とベースプレート１６１との界面を保護層１６５で覆った弾性表面波装置が複数個得られる。そのため、前記第２の切断（前述するフルカット工程に相当する。）と前記保護層の形成工程との工程間に前記第1の切断工程が必要となり製造工程が複雑になる。
【０００６】
さらに、前記ベースプレート母材上にフリップチップ実装した前記デバイスシステム同士の間隙は狭小であることから該間隙にスクリーン印刷によって前記囲み枠１６４となる樹脂部材を充填し且つ該樹脂部材が前記絶縁枠１５３とベースプレート母材１６６との間隙に進入しないようにスクリーン印刷作業を制御することが極めて困難であった。
【０００７】
つまり解決しようとする問題点は、低コストなＣＳＰ構造の圧電デバイス、特に弾性表面波装置を提供することができない点である。
【課題を解決するための手段】
【０００８】
上記課題を解決するために本発明に係わる請求項１記載の発明は、一方の主面上に少なくとも励振電極と該励振電極から延出するボンディングパッドとを備える圧電振動素子と、上面に前記圧電振動素子実装用のパッド電極と接地用パッドを配設すると共に下面に外部電極を備えた平板状のプリント配線基板と、を備えており、前記ボンディングパッドに固定した金属バンプを介して前記プリント配線基板の上面に所定のギャップを隔てて前記圧電振動子を固定した圧電デバイスであって、前記ギャップの開口寸法より大きい厚みを有する金属層を前記圧電デバイスの上面全面に形成したことを特徴とする。
【０００９】
本発明に係わる請求項２記載の発明は、請求項１において、前記ギャップの空間に配設し該ギャップの開口寸法を小さくする共に、少なくとも前記励振電極近傍を囲繞する隔壁を備えていることを特徴とする。
【００１０】
本発明に係わる請求項３記載の発明は、請求項２において、前記隔壁が少なくとも前記圧電振動素子の一方の主面の周縁に形成されていることを特徴とする。
【００１１】
本発明に係わる請求項４記載の発明は、請求項２又は３において、前記圧電振動素子の側面夫々と対応する位置の前記隔壁の外端面夫々とが互いに略一致していることを特徴とする。
【００１２】
本発明に係わる請求項５記載の発明は、請求項２において、前記隔壁が前記圧電振動素子の一方の主面の周縁に対応する前記プリント配線基板の上面に形成されていることを特徴とする。
【００１３】
本発明に係わる請求項６記載の発明は、請求項３又は４において、接地用の前記ボンディングパッドが前記隔壁及び前記金属層を介して前記接地用パッドと電気的導通し且つ接地用の該ボンディングパッド上の前記金属バンプを省略したことを特徴とする。
【００１４】
本発明に係わる請求項７記載の発明は、請求項２乃至６のいずれかにおいて、前記隔壁が感光性材料であることを特徴とする。
【００１５】
本発明に係わる請求項８記載の発明は、請求項２乃至６のいずれかにおいて、前記隔壁が金属体であることを特徴とする。
【００１６】
本発明に係わる請求項９記載の発明は、請求項１乃至８のいずれかにおいて、前記金属層が複数の金属薄膜を積層したものであることを特徴とする。
【００１７】
本発明に係わる請求項１０記載の発明は、請求項１乃至９のいずれかにおいて、前記金属層の上面が樹脂で覆われていることを特徴とする。
【００１８】
本発明に係わる請求項１１記載の発明は、請求項１０において、前記樹脂の上面にマーキングを施していることを特徴とする。
【発明の効果】
【００１９】
本発明の圧電デバイスは、小型化、薄型化を追及したパッケージ技術（ＣＳＰ構造）の圧電デバイスにおいて、簡素な製造工程で且つ励振電極の雰囲気を維持することが可能な封止が得られるという利点がある。
【発明を実施するための最良の形態】
【００２０】
以下、図示した本発明の実施の形態に基づいて、本発明を詳細に説明する。
【００２１】
図１は本発明の第１の実施形態の圧電デバイスとしての弾性表面波装置の構成を示す縦断面図である。
第１の実施形態の弾性表面波装置は、圧電基板１、例えばＬｉＴａＯ３（タンタル酸リチウム）と該圧電基板１の一方の主面（下面）上に励振電極（櫛形電極）２ａと該励振電極２ａから延出するボンディングパッド２ｂとからなる圧電振動素子（以下「ＳＡＷチップ」と示す）３と、上面に前記ＳＡＷチップ３実装用のパッド電極５と接地用パッド６を配設すると共に下面に外部電極７を備えた平板状のプリント配線基板４と、を備えている。前記ＳＡＷチップ３の下面と前記プリント配線基板４の上面との間隙に所定のギャップ８を隔てて機械的に固定（フリップチップ実装）する共に、前記ボンディングパッド２ｂに固定した金属バンプ１１を介して前記パッド電極５と電気的導通している。前記ＳＡＷチップ３の上面及び四側面から該ＳＡＷチップ３と重複しないプリント配線基板４の上面にかけて前記ギャップ８寸法より大きい（厚い）金属層９、例えばアルミ層を形成すると共に、プリント配線基板４の上面のＳＡＷチップ３と重複しないスペースに配設する前記接地用パッド６と導通している（シールド効果を有する。）。さらに前記ＳＡＷチップ３と前記プリント配線基板４との機械的な固定の補強及び前記金属層９の保護のために前記金属層９の上面を樹脂部材１０を成形するのが望ましい。なお、樹脂部材１０の上面に弾性表面波装置の外部電極方向、定格等をマーキングしても構わない。
【００２２】
前記金属層９はドライプロセス（真空蒸着、スパッタリング及びＣＶＤ）で形成する、即ち真空若しくは不活性ガス雰囲気内で成膜することで、ドライプロセス装置のチャンバー内雰囲気と略一致する状態を前記ギャップ８に維持しつつ該ギャップ８を封止する構造を有する。また、金属層９はＳＡＷチップ３及びプリント配線基板４との密着性、即ち気密性が高いため、金属層９の形成工程以降において大気にさらされても、前記ギャップ８の雰囲気が大気に置換されることは無い。
【００２３】
図２は本発明に係わる金属層の形成メカニズムを模式化した縦断面図である。
前記金属層９が前記ギャップ８を封止、即ち前記ＳＡＷチップ３の下面周縁とこれに対向するプリント配線基板４の上面との空間（ギャップ８の開口）を覆うには、例えば真空蒸着の場合、蒸着源に対してＳＡＷチップ３の上面が略垂直となるように設置する。初期にはＳＡＷチップ３及びプリント配線基板４の上面に薄膜状（２１ａ）に形成され、時間を追う毎に厚みを増し（２１ｂ）、最終的には前記開口を覆う（２１ｃ）、即ちギャップ８の開口高さ（幅）寸法より大きい厚みを有する厚膜（厚さ１５乃至４０μｍ）が形成されることで実現される。
【００２４】
前記プリント配線基板４は、例えばセラミックから成り、上面に形成した前記パッド電極５と接地用パッド６と、下面に形成した複数の外部電極７と、を備えており、パッド電極５と接地用パッド６と外部電極７とは所定の配線がなされている。特に、接地用パッド６と導通する外部電極はアース電極となる。
【００２５】
本発明によれば、前記プリント配線基板４への前記ＳＡＷチップ３の実装、前記金属層９の形成及び前記樹脂部材１０の成形をバッチ処理にて実施することが可能である。即ち、大面積のプリント配線基板母材上に区画形成されたパッド電極群及び接地用パッド群に対して各パッド電極にそれぞれＳＡＷチップ３をフリップチップ実装し、該プリント配線基板母材の実装面に一括して金属層９の形成及び樹脂部材１０の成形を実施、即ち複数の表面弾性波装置が連設してなる集合基板を作製し、その後ダイシングにより個片化することにより多数の弾性表面波装置を製造することができる。このため、弾性表面波装置の生産性を高めることができる。
【００２６】
図３は本発明の第２の実施形態の圧電デバイスとしての弾性表面波装置の構成を示す縦断面図である。
第２の実施形態の弾性表面波装置が第１の実施形態と異なる点は、前記ギャップ８の開口高さ（幅）を部分的に狭めるための隔壁３１を形成した点にある。前記励振電極と前記ボンディングパッドとを囲繞する、望ましくはＳＡＷチップ３３の下面周縁に隔壁３１を形成しギャップ８の開口高さ（幅）を狭める（ＳＡＷチップ３３のフリップチップ実装時に隔壁３１の下面と前記プリント配線基板４の上面が干渉せず且つ隔壁３１の内側（励振電極の下方）の雰囲気を置換するための間隙を有する。）ことで金属層３９の厚みを前記金属層９より薄くすることが可能となり、金属層３９形成時間及び使用する成膜材料の削減に寄与する。
【００２７】
前記隔壁３１の形成方法は、大型圧電基板の一方の主面に区画形成された前記励振電極及び前記ボンディングパッド群夫々を囲繞する、生産性を鑑みて望ましくは励振電極及びボンディングパッド群を含む区画を露出させるように絶縁性樹脂の塗布若しくは印刷、ＰＶＤ若しくはＣＶＤによる無機材料（例えば酸化シリコン等）の被着、メッキ法若しくはリフトオフ法による金属膜の形成、導電性ペーストの印刷若しくは塗布等により隔壁３１の集成体を形成する。前記ボンディングパッド群夫々に前記金属バンプ１１を形成した後、大型圧電基板の所定の位置で切断することで励振電極及び前記ボンディングパッドを囲繞する隔壁３１（を配設したＳＡＷチップ３３）が得られる。なお前記隔壁３１を導電材で形成した場合、図４に示すように、圧電基板周縁まで延出する接地用のボンディングパッド４２ｂの一部を覆うように前記隔壁４１を形成し切断することによって圧電基板の側面夫々と対応する位置の隔壁４１の外端面夫々とが互いに略一致したＳＡＷチップ４３を実装し金属層４９を形成（封止）すると、ＳＡＷチップ４３の四側面に露出する隔壁４１の外端面にも金属層４９が被着することから該金属層４９及び隔壁４１を介して接地用パッド４６とボンディングパッド４２ｂとは電気的導通する。該構造によれば、ボンディングパッド４２ｂと接続すべくパッド電極及び前記金属バンプも不要となり、前記ＳＡＷチップ４３およびプリント配線基板４４のパターン設計の自由度が高まり弾性表面波装置の更なる小型化に有効である。
【００２８】
図５は本発明の第３の実施形態の圧電デバイスとしての弾性表面波装置の構成を示す縦断面図である。
第３の実施形態の弾性表面波装置が第２の実施形態と異なる点は、前記ギャップ８の開口高さ（幅）を部分的に狭めるための隔壁５１をプリント配線基板の上面に形成した点にある。即ち、ＳＡＷチップ３の下面周縁に対向する前記プリント配線基板４の上面に隔壁５１を形成しギャップ８の開口高さ（幅）を狭める（ＳＡＷチップ３のフリップチップ実装時に隔壁５１の下面と前記プリント配線基板５４の上面が干渉せず且つ隔壁５１の内側（励振電極の下方）の雰囲気を置換するための間隙を有する。）ことで金属層５９の厚みを前記金属層９より薄くすることが可能となり形成時間及び使用する成膜材料の削減に寄与する。隔壁５１は、特に前記パッド電極５及び前記接地用パッド６のいずれかと接触する位置に形成する場合にはアルミナコーティングや絶縁性樹脂が望ましく、また接触しない位置に形成する場合には導電材であっても構わない。
【００２９】
図６は本発明の第４の実施形態の圧電デバイスとしての弾性表面波装置の構成を示す縦断面図である。
第４の実施形態の弾性表面波装置が第２及び３の実施形態と異なる点は、ギャップ８の開口高さ（幅）を部分的に狭めるための隔壁をＳＡＷチップの下面周縁と該下面周縁に対向する前記プリント配線基板の上面とに形成した点にある。即ち、ＳＡＷチップ６３の下面周縁に隔壁６１ａを形成し且つプリント配線基板６４の上面に隔壁６１ｂを形成しギャップ８の開口高さ（幅）を狭める（ＳＡＷチップ６３のフリップチップ実装時に隔壁６１ａの下面と前記隔壁６１ｂの上面とが干渉せず且つ隔壁６１ａ及び６１ｂの内側（励振電極の下方）の雰囲気を置換するための間隙を有する。）ことで金属層６９の厚みを前記金属層９より薄くすることが可能となり、金属層６９の形成時間及び使用する成膜材料の削減に寄与する。前記隔壁６１ａを導電材料で形成した場合、前記６１ｂは絶縁材料で形成するのが望ましい。
【００３０】
前記隔壁３１、５１及び６１ａ、６１ｂに用いる導電性及び絶縁性樹脂は熱硬化性、熱可塑性、感光性のいずれでも構わない。
【００３１】
タンタル酸リチウムからなる圧電基板を用いて本発明を説明したが、水晶、四方酸リチウム、ニオブ酸リチウム、ランガサイト等の弾性表面波の励振が可能な圧電材料に適用できることは云うまでもない。
【００３２】
励振電極に櫛形電極を用いて本発明を説明したが、櫛形電極のほかに反射器を備えたものであっても構わない。また所謂ＳＡＷフィルタで本発明を説明したが、ＳＡＷ共振器であっても構わない。
【００３３】
本発明に係るプリント配線基板は、セラミック配線基板のみならずガラスエポキシ、シリコン等の樹脂基板などでも構わない。
【図面の簡単な説明】
【００３４】
【図１】本発明の第１の実施形態の弾性表面波装置の構成を示す縦断面図である。
【図２】本発明に係わる金属層の形成メカニズムを模式化した縦断面説明図である。
【図３】本発明の第２の実施形態の弾性表面波装置の構成を示す縦断面図である。
【図４】第２の実施形態の変形例の構成を示す部分縦断面図である。
【図５】本発明の第３の実施形態の弾性表面波装置の構成を示す縦断面図である。
【図６】本発明の第４の実施形態の弾性表面波装置の構成を示す縦断面図である。
【図７】従来の弾性表面波装置の構成を示す縦断面図である。
【図８】従来の弾性表面波装置の製造方法説明図である。
【符号の説明】
【００３５】
１…圧電基板    ２ａ…励振電極    ２ｂ…ボンディングパッド    ３…圧電振動素子    ４…プリント配線基板    ５…パッド電極    ６…接地用パッド    ７…外部電極
８…ギャップ    ９…金属層    １０…樹脂部材    １１…金属バンプ
２１ａ、２１ｂ、２１ｃ…金属薄膜    ３１…隔壁    ３３…ＳＡＷチップ
３９…金属層    ４１…隔壁    ４２ｂ…ボンディングパッド    ４３…ＳＡＷチップ    ４４…プリント配線基板    ４５…パッド電極    ４６…接地用パッド    ４９…金属層    ５１…隔壁    ５４…プリント配線基板    ５９…金属層    ６１ａ、６１ｂ…隔壁    ６３…ＳＡＷチップ    ６４…プリント配線基板    ６９…金属層
１５１…ベースプレート    １５２…デバイスシステム    １５３…バンプ
１５４…囲み枠    １５５…保護層    １６１…ベースプレート
１６２…デバイスシステム    １６４…囲み枠    １６５…保護層
１６６…ベースプレート母材    １６８…溝    １６９…ダイシング刃
【図１】
2005012751.tif 000003
【図２】
2005012751.tif 000004
【図３】
2005012751.tif 000005
【図４】
2005012751.tif 000006
【図５】
2005012751.tif 000007
【図６】
2005012751.tif 000008
【図７】
2005012751.tif 000009
【図８】
2005012751.tif 000010